(57)【要約】【課題】  緑化用植物をトレイで栽培するものとし、その植栽トレイを折板屋根に効率良く敷設することのできる屋上緑化システムを提供する。【解決手段】  山部１ａと谷部１ｂとが並列に交互に並ぶ折板１Ａで葺かれた屋根の上に敷設される植栽トレイ２と、この植栽トレイを屋根に固定する固定部材３とを備える。植栽トレイ２は、平面形状が略長方形の底面部１１と、この底面部の外周縁から上方に立ち上がる立縁部１２とを有する。立縁部１２の外側面に、隣合う植栽トレイ２同士を互いに結合する結合手段を設ける。固定部材３は、折板１Ａ同士を接合する接合手段１ｃにより折板１Ａの山部１ａに取り付けられ、その取付部分の上方に位置する水平部分が、折板１Ａの山部１ａの上に載置された植栽トレイ２の立縁部１２の上端面に係合することにより、この植栽トレイ２を折板１Ａの山部１ａに固定するものとする。【選択図】        図３
2007259716.tif 000002
【特許請求の範囲】
【請求項１】
山部と谷部とが並列に交互に並ぶ折板で葺かれた屋根の上に敷設される植栽トレイと、この植栽トレイを屋根に固定する固定部材とを備えた屋上緑化システムであって、
前記植栽トレイは、平面形状が略長方形の底面部と、この底面部の外周縁から上方に立ち上がる立縁部とを有し、前記立縁部の外側面に、隣合う植栽トレイ同士を互いに結合する結合手段が設けられたものであり、
前記固定部材は、折板同士を接合する接合手段により前記折板の山部に取り付けられ、その取付部分の上方に位置する水平部分が、前記折板の山部の上に載置された前記植栽トレイの立縁部の上端面に係合することにより、この植栽トレイを前記折板の山部に固定するものであることを特徴とする屋上緑化システム。
【請求項２】
請求項１において、前記植栽トレイの底面部は、下面に上側に凹む溝状の折板載置面部が平行に等間隔で形成され、この折板載置面部のピッチが、前記折板の山部のピッチに対し整数分の１であり、かつ折板載置面部の配列方向の植栽トレイ外形長が、前記折板載置面部のピッチの整数倍である屋上緑化システム。
【請求項３】
請求項１または請求項２において、前記植栽トレイの底面部の上面における前記折板載置面部間の部分に、下側に凹む貯水部が形成された屋上緑化システム。
【請求項４】
請求項１ないし請求項３のいずれか１項において、前記植栽トレイの立縁部の上端コーナー部に、上側に積み重ねられた植栽トレイの下端コーナー部に係合して、この植栽トレイの水平方向の位置決めをする位置決め突起が設けられた屋上緑化システム。
【発明の詳細な説明】
【技術分野】
【０００１】
この発明は、折板で葺かれた屋根の上を植物で緑化する屋上緑化システムに関する。
【背景技術】
【０００２】
都市部でのヒートアイランド現象の対策の一つとして、建築物の屋上部を植栽で覆う屋上緑化が注目されている。この屋上緑化を、工場や倉庫等のような広い屋根面を有する建築物に対して行うと特に有効である。これら工場や倉庫の屋根は折板で葺かれていることが多いため、折板屋根を効果的に緑化する技術の確立が求められている。また、折板は比較的安価な屋根材であるため、折板屋根を効果的に緑化することができれば、工場や倉庫以外の建築物についても、新築、既築を問わず、屋上緑化を安価に実現することができる。
【０００３】
折板屋根を緑化する方法として、例えば、折板の谷部に培土を入れて植物を栽培する方法、折板の上に床板を載置して平坦な植栽床を形成し、その上に培土を盛って植物を栽培する方法、培土が収容されたトレイを折板の上に敷設し、トレイ内で植物を栽培する方法等がある。中でも、トレイを用いる方法は、他の方法に比べて、保水や排水の管理がしやすい、施工が容易である、安価に施工できる等、有利な点が多い。
【０００４】
トレイを用いる方法では、トレイは折板の山部の上に載置され、強風等で飛ばないように折板に固定される。特許文献１は、トレイが折板の山部に直接載置されている例であり、特許文献２，３は、折板の山部に支持金具を介してトレイが支持されている例である。これらの例に示されているように、従来は、トレイが１個ずつ折板に固定されていた。
【０００５】
【特許文献１】特開２０００−３２４９５３号公報
【特許文献２】特開２００４−２４５０３２号公報
【特許文献３】特開２００５−３１５０４６号公報
【発明の開示】
【発明が解決しようとする課題】
【０００６】
上記従来のように、トレイを１個ずつ折板に固定する構造であると、各トレイを折板に固定するのに時間を要し、施工の効率アップの障害となっていた。また、トレイを折板に固定する方法は種々あるが、折板にトレイ固定のための加工を施す必要がある場合は、その作業も施工の効率を悪くする要因となっていた。
【０００７】
この発明の目的は、緑化用植物をトレイで栽培するものとし、その植栽トレイを折板屋根に効率良く敷設することのできる屋上緑化システムを提供することである。
【課題を解決するための手段】
【０００８】
この発明の屋上緑化システムは、山部と谷部とが並列に交互に並ぶ折板で葺かれた屋根の上に敷設される植栽トレイと、この植栽トレイを屋根に固定する固定部材とを備えた屋上緑化システムであって、前記植栽トレイは、平面形状が略長方形の底面部と、この底面部の外周縁から上方に立ち上がる立縁部とを有し、前記立縁部の外側面に、隣合う植栽トレイ同士を互いに結合する結合手段が設けられたものであり、前記固定部材は、折板同士を接合する接合手段により前記折板の山部に取り付けられ、その取付部分の上方に位置する水平部分が、前記折板の山部の上に載置された前記植栽トレイの立縁部の上端面に係合することにより、この植栽トレイを前記折板の山部に固定するものであることを特徴とする。
【０００９】
この発明の構成によれば、植栽トレイの立縁部の外側面に、隣合う植栽トレイ同士を互いに結合する結合手段が設けられているため、他の結合具を用いずに、複数の植栽トレイを互いに結合させることができる。このように互いに結合された複数の植栽トレイを一纏めにして固定部材で折板の山部に固定すればよいので、植栽トレイの固定作業を効率良く行うことができる。また、折板同士を接合する接合手段により固定部材が折板の山部に取り付けられるため、折板にトレイ固定のための加工を施す必要が無く、さらに植栽トレイ固定作業の効率を向上させることができる。
【００１０】
この発明において、前記植栽トレイの底面部は、下面に上側に凹む溝状の折板載置面部が平行に等間隔で形成され、この折板載置面部のピッチが、前記折板の山部のピッチに対し整数分の１であり、かつ折板載置面部の配列方向の植栽トレイ外形長が、前記折板載置面部のピッチの整数倍であるのが好ましい。さらに好ましくは、折板載置面部のピッチを、複数種の折板の各山部のピッチに対する公約数とする。
この構成とした場合、植栽トレイ底面部の折板載置面部が折板の山部により下から支持されるように、植栽トレイを敷設する。折板載置面部は上側に凹む溝状となっているため、この折板載置面部の部分に折板の山部またはこの山部に位置する前記接合手段が嵌り込んだ状態となり、折板載置面部の溝方向と交差する方向への植栽トレイの移動が規制され、植栽トレイの位置が安定する。
折板載置面部のピッチが折板の山部のピッチに対し整数分の１であると、折板の各山部または接合手段の位置を植栽トレイの折板載置面部の位置に合致させることができる。また、折板載置面部の配列方向の植栽トレイ外形長が折板載置面部のピッチの整数倍であると、植栽トレイを隙間無く並べた場合でも、折板の各山部または接合手段の位置を植栽トレイの折板載置面部の位置に合致させることができる。
【００１１】
この発明において、前記植栽トレイの底面部の上面における前記折板載置面部間の部分に、下側に凹む貯水部が形成されているものとしても良い。
植栽トレイの底面部の肉厚がほぼ一定であるとした場合、折板載置面部が上側に凹む溝状であるなら、折板載置面部間の部分は下側に凹む形状となる。この部分を貯水部とすれば、植栽トレイの水持ちが良好となる。
【００１２】
この発明において、前記植栽トレイの立縁部の上端コーナー部に、上側に積み重ねられた植栽トレイの下端コーナー部に係合して、この植栽トレイの水平方向の位置決めをする位置決め突起が設けられたものとしても良い。
上記位置決め突起を設けると、植栽トレイを水平方向に位置ずれすることなく上下に複数個積み重ねることができる。このため、運搬等が容易になる。
【発明の効果】
【００１３】
この発明の屋上緑化システムは、山部と谷部とが並列に交互に並ぶ折板で葺かれた屋根の上に敷設される植栽トレイと、この植栽トレイを屋根に固定する固定部材とを備えた屋上緑化システムであって、前記植栽トレイは、平面形状が略長方形の底面部と、この底面部の外周縁から上方に立ち上がる立縁部とを有し、前記立縁部の外側面に、隣合う植栽トレイ同士を互いに結合する結合手段が設けられたものであり、前記固定部材は、前記折板の山部に取り付けられ、その取付部分の上方に位置する水平部分が、前記折板の山部の上に載置された前記植栽トレイの立縁部の上端面に係合することにより、この植栽トレイを前記折板の山部に固定するものであるため、植栽トレイを折板屋根に効率良く敷設することができる。
【発明を実施するための最良の形態】
【００１４】
この発明の実施形態を図面と共に説明する。図１ないし図３はそれぞれサイズの異なるハゼ締め式折板を用いた折板屋根への施工例、図４はボルト締め式折板を用いた折板屋根への施工例を示している。各施工例共、緑化用植物をトレイで栽培する形態の屋上緑化システムである。各図において、符合１Ａ，１Ｂは折板、２は植栽トレイ、３は固定部材である。なお、折板１Ａ，１Ｂは、山部１ａと谷部１ｂとが交互に並列配置された断面波形の屋根材である。これらの施工例について説明する前に、屋上緑化システムで使用される植栽トレイ２について説明する。
【００１５】
図５ないし図８に植栽トレイを示す。この植栽トレイ２は、合成樹脂材料（例えばポリプロピレン）で成型されたもので、略長方形の底面部１１と、この底面部１１の外周縁から上方に立ち上がる立縁部１２とを有し、上方に開口する底の浅い容器状をしている。
【００１６】
底面部１１の下面には、長方形の短辺方向に、上側に凹む長い溝状の折板載置面部１３が平行に等間隔で形成されている。一方、底面部１１の上面における折板載置面部１３間の部分は、全体的には下側に凹む形状であり、部分的に底の浅い部分１４と深い部分１５とが形成されている。そして、底の浅い部分１４には水抜き孔１６が穿設され、底の深い部分１５は貯水部となっている。
【００１７】
立縁部１２は、詳しくは、底面部１１の外周縁から上方に立ち上がる立ち上がり部分１２ａと、この立ち上がり部分１２ａの上端から外方に延びる水平部分１２ｂと、この水平部分１２ｂの外端から下方に垂下する垂下部分１２ｃからなっている。このような折り返し構造とすることで、強度アップが図られている。４辺の各垂下部分１２ｃの中央下部には、他の部分よりも内側に折り込まれた手掛け１７が形成されている。
【００１８】
また、４辺の各垂下部分１２ｃの両端付近には、結合手段としての係合部１８と被係合部１９とがそれぞれ別々に設けられている。図７に示すように、係合部１８は、垂下部分１２ｃから外側に突出する凸状のものであり、その先端部１８ａは水平方向に若干張り出している。被係合部１９は、垂下部分１２ｃの上端から下端付近に至る溝状であり、係合部１８の形状に対応して、最奥部１９ａの水平方向の幅が若干広くなっている。係合部１８を被係合部１９に上方から挿入することにより、両者が係合させられる。この係合部１８と被係合部１９とからなる結合手段により、一対の植栽トレイ２を互いの立縁部１２同士が接する状態に整列配置した場合に、一方の植栽トレイ２の係合部１８が他方の植栽トレイ２の被係合部１９に係合して、両植栽トレイ２が互いに結合される。
【００１９】
さらに、立縁部１２の上端コーナー部、すなわち水平部分１２ｂのコーナー部には、図８に示すように、上方に突出する平面視Ｌ形の位置決め突起２０が設けられている。この位置決め突起２０は、上下に植栽トレイ２を積み重ねた場合に、下側の植栽トレイ２の位置決め突起２０が上側の植栽トレイ２の下端コーナー部に係合して、両植栽トレイ２の水平方向の位置決めをするものである。
【００２０】
前記折板載置面部１３のピッチｐ0は、折板１の山部のピッチに対し整数分の１としてある。さらに、折板１の山部のピッチが異なる複数種の折板１Ａ，１Ｂに対しても上記関係が成立するように、折板載置面部のピッチｐ0を、各折板の各山部のピッチに対する公約数としている。例えば、図１の折板１Ａの山部のピッチｐ1が３００mm、図２の折板１Ａの山部のピッチｐ2が４００mm、図３の折板１Ａの山部のピッチｐ3が５００mm、図４の折板１Ｂの山部のピッチｐ4が２００mmである場合、折板載置面部のピッチｐ0は１００ mmとすれば良い。
【００２１】
また、折板載置面部１３の配列方向の植栽トレイ外形長ａは、前記折板載置面部のピッチｐ0の整数倍としてある。例えば、折板載置面部のピッチｐ0が１００mmであるとすれば、植栽トレイ外形長ａを７００mmとする。
【００２２】
図１ないし図３の施工例について説明する。これら各施工例は、ハゼ締め式折板１Ａを用いた折板屋根に対してなされたものである。植栽トレイ２は、折板１Ａの山部１ａから上に突出するハゼ１ｃの上に載置される。ハゼ１ｃは折板同士を接合する接合手段である。各植栽トレイ２は、折板載置面部１３でハゼ１ｃにより下から支持される。
【００２３】
これらの植栽トレイ２を、前述の結合方法により複数個ずつ縦横整列状態に結合する。図１の施工例では、３×６の計１８個の植栽トレイ２が互いに結合され、図２および図３の施工例では３×３の計９個の植栽トレイ２が互いに結合されている。折板載置面部１３のピッチｐ0が、折板１Ａの山部のピッチに対し整数分の１、かつ図１ないし図３の各折板１Ａの山部のピッチに対する公約数であるため、図１ないし図３のいずれの折板１Ａについても、各植栽トレイ２は、折板載置面部１３でハゼ１ｃにより下から支持される。また、折板載置面部１３の配列方向の植栽トレイ外形長ａが折板載置面部のピッチｐ0の整数倍としてあるため、各植栽トレイ２は、折板載置面部１３でハゼ１ｃにより下から支持される。
【００２４】
そして、この複数個の植栽トレイ群を一纏めにして折板１Ａに固定する。その固定は、図９ないし図１１に示すように、固定部材３としてのハゼ掴み金具３０および飛散防止金具３１を用いて行う。ハゼ掴み金具３０は、ハゼ１ｃを跨ぐように折板１Ａの山部１ａに設けられ、下端側の一対の挟持部３０ａによりハゼ１ｃを両側から挟持するものである。飛散防止金具３１は、ハゼ掴み金具３０にボルト３２およびナット３３により連結される。飛散防止金具３１の上部は水平部分３１ａとその先のフック状部分３１ｂとからなり、水平部分３１ａが植栽トレイ２の立縁部１２の上側に被さり、フック状部分３１ｂが前記立縁部１２の内側に入り込んで係合することにより、植栽トレイ２を折板１Ａに固定する。ハゼ掴み金具３０の両側の植栽トレイ２は、別々の飛散防止金具３１により固定される。それぞれの飛散防止金具３１は、重ねてハゼ掴み金具３０に連結される。
【００２５】
このように、複数個の植栽トレイ群を一纏めにして折板１Ａに固定することができるので、植栽トレイ２の固定作業を効率良く行うことができる。また、折板同士を接合する接合手段であるハゼ１ｃを利用して固定部材３０，３１が折板１Ａの山部１ａに取り付けられるため、折板１Ａにトレイ固定のための加工を施す必要が無く、より一層固定作業を効率良く行うことができる。
【００２６】
図４の施工例について説明する。この施工例は、ボルト締め式折板１Ｂを用いた折板屋根に対してなされたものである。植栽トレイ２は、折板１Ｂの山部１ａの上に直接載置される。各植栽トレイ２は、折板載置面部１３で折板１の山部１ａにより下から支持される。この植栽トレイ２を、前記同様、複数個ずつ縦横整列状態に結合する。この場合も、折板載置面部１３のピッチｐ0が、折板１の山部のピッチに対し整数分の１であるため、植栽トレイ２は、折板載置面部１３で山部１ａにより下から支持される。また、折板載置面部１３の配列方向の植栽トレイ外形長ａが折板載置面部のピッチｐ0の整数倍としてあるため、各植栽トレイ２は、折板載置面部１３で山部１ａにより下から支持される。
【００２７】
そして、この複数個の植栽トレイ群を一纏めにして折板１Ｂに固定する。その固定は、図１２ないし図１４に示すように、固定部材３としての飛散防止金具３５を用いて行う。飛散防止金具３５は、折板１Ｂ同士を接合する接合手段である接合ボルト３６により折板１Ｂの山部１ａに取り付けられる。飛散防止金具３５の上部は水平部分３５ａとその先のフック状部分３５ｂとからなり、水平部分３５ａが植栽トレイ２の立縁部１２の上側に被さり、フック状部分３５ｂが前記立縁部１２の内側に入り込んで係合することにより、植栽トレイ２を折板１Ｂに固定する。この飛散防止金具３５は両側の植栽トレイ２を共に固定することができる。
【００２８】
この施工例の場合も、複数個の植栽トレイ群を一纏めにして折板１Ｂに固定することができるので、植栽トレイ２の固定作業を効率良く行うことができる。また、接合手段である接合ボルト３６を利用して固定部材３である飛散防止金具３５が折板１Ｂの山部１ａに取り付けられるため、折板１Ｂにトレイ固定のための加工を施す必要が無く、より一層固定作業を効率良く行うことができる。
【００２９】
図１５は植栽トレイによる植物の栽培方法を示す説明図である。植栽トレイ２内の底部にポリプロピレン製の吸水マット４０を敷き、その上に培土４１を充填して、植栽基盤を作る。培土４１の厚みは３０mm程度とする。培土４１としては、通常の園芸用土を使用することができる。栽培する植物（植栽）４２は、ツル性の地被植物が好ましく、例えばツルマンネン草が最適である。ツルマンネン草は、耐乾性、耐寒性に優れた多肉植物であり、横に広がって伸びる性質があり、繁殖力が旺盛で、開花後も衰退しないという特長を有するからである。
【００３０】
上記した植栽トレイ２への植物の植付けは、施工現場で行なっても良いが、事前に別の場所で行なっておき、施工現場では既に植物の植え付けられている植栽トレイ２を折板屋根に敷設するだけとするのが良い。その方が、植物の苗の育成環境を良好に保つことができ、また現場での施工作業が簡略になる。植栽トレイ２を敷設した後、根が十分に活着していない植栽４２が風等で飛ばされるのを防止するため、飛散防止ネット４３で被覆するのが望ましい（図１〜図３に図示）。この飛散防止ネット４３は、植栽トレイ２を折板１Ａ，１Ｂに固定するとき同時に固定すると良い。
【００３１】
施工完了後は、特に手入れ等を必要としない。植栽トレイ２内の底部に吸水マット４０が敷かれているため、保水性に優れ、また植栽トレイ２の底部に貯水部１５が設けられているため、ある程度の水を貯えておくことができる。加えて、ツルマンネン草は耐乾性で、生命力が強いので、無潅水でも生育可能である。余分な水は水抜き孔１６から排出されるため、根腐れ等が生じない。
【００３２】
この屋上緑化システムで使用される植栽トレイ２は、リサイクル材である再生ポリプロピレン等で作ることができ、しかも繰り返し使用することができるため、自然環境に良好である。また、植栽トレイ２の材料であるポリプロピレンは耐光性があり、劣化にも強い。このため、長期間使用することができ、経済的である。また、この植栽トレイ２は、位置決め突起２０が設けられているため、水平方向に位置ずれすることなく上下に複数個積み重ねることができる。このため、運搬等が容易である
【００３３】
この屋上緑化システムによる折板屋根の緑化が建物環境に及ぼす影響を把握するために、屋上緑化した場合と屋上緑化しない場合とで建物の温度にどのような違いがでるか実験を行なった。
・実験期間：２００５年２月〜２００６年２月
・実験地  ：大和工商リース株式会社京都伏見展示場
・対象建物：同一建物の屋根の半分には屋上緑化を行い、残りの半分には屋上緑化を行なわないものとした（図１６参照）。
・実験方法：屋上緑化箇所の屋根表面の温度、屋上緑化箇所の室温、非屋上緑化箇所の屋根表面の温度、非屋上緑化箇所の室温、および外気温を測定した。
・実験結果：例として、２００５年５月３日の観測データを図１７、図１８に示す。
実験結果より、屋上緑化を行なうと、屋根表面の温度に関して２０℃程度の遮熱効果があることが分かった。また、室温に関しては、一年を通じて約２℃弱の遮熱効果があると推測された。
【図面の簡単な説明】
【００３４】
【図１】（Ａ）はこの発明の屋上緑化システムをハゼ締め式折板を用いた折板屋根に適用した施工例の正面図、（Ｂ）はその平面図である。
【図２】（Ａ）は同屋上緑化システムを異なるハゼ締め式折板を用いた折板屋根に適用した施工例の正面図、（Ｂ）はその平面図である。
【図３】（Ａ）は同屋上緑化システムをさらに異なるハゼ締め式折板を用いた折板屋根に適用した施工例の正面図、（Ｂ）はその平面図である。
【図４】（Ａ）は同屋上緑化システムをボルト締め式折板を用いた折板屋根に適用した施工例の正面図、（Ｂ）はその平面図である。
【図５】（Ａ）は同屋上緑化システムに使用される植栽トレイの平面図、（Ｂ）は同植栽トレイの正面図、（Ｃ）は同植栽トレイの側面図である。
【図６】図５（Ａ）のVI−VI断面図である。
【図７】対向して設けた一対の植栽トレイの要部を示す平面図である。
【図８】（Ａ）は植栽トレイの要部の平面図、（Ｂ）はその正面図である。
【図９】図３のＡ部の拡大図である。
【図１０】図９のＸ−Ｘ断面図である。
【図１１】図９のXI−XI断面図である。
【図１２】図４のＢ部の拡大図である。
【図１３】図１２のXIII−XIII断面図である。
【図１４】図１２のIX−IX断面図である。
【図１５】植物栽培時の植栽トレイの断面図である。
【図１６】実験をした建物の斜視図である。
【図１７】観測データのグラフである。
【図１８】異なる観測データのグラフである。
【符号の説明】
【００３５】
１Ａ，１Ｂ…折板
１ａ…山部
１ｂ…谷部
１ｃ…ハゼ（接合手段）
２…植栽トレイ
３…固定部材
１１…底面部
１２…立縁部
１３…折板載置面部
１５…貯水部
１６…水抜き孔
１８…係合部（結合手段）
１９…被係合部（結合手段）
２０…位置決め突起
３０…ハゼ掴み金具（固定部材）
３１，３５…飛散防止金具（固定部材）
３６…接合ボルト（接合手段）
【図１】
2007259716.tif 000003
【図２】
2007259716.tif 000004
【図３】
2007259716.tif 000005
【図４】
2007259716.tif 000006
【図５】
2007259716.tif 000007
【図６】
2007259716.tif 000008
【図７】
2007259716.tif 000009
【図８】
2007259716.tif 000010
【図９】
2007259716.tif 000011
【図１０】
2007259716.tif 000012
【図１１】
2007259716.tif 000013
【図１２】
2007259716.tif 000014
【図１３】
2007259716.tif 000015
【図１４】
2007259716.tif 000016
【図１５】
2007259716.tif 000017
【図１６】
2007259716.tif 000018
【図１７】
2007259716.tif 000019
【図１８】
2007259716.tif 000020
【手続補正書】
【提出日】平成18年8月21日(2006.8.21)
【手続補正１】
【補正対象書類名】特許請求の範囲
【補正対象項目名】全文
【補正方法】変更
【補正の内容】
【特許請求の範囲】
【請求項１】
山部と谷部とが並列に交互に並ぶ折板で葺かれた屋根の上に敷設される植栽トレイと、この植栽トレイを屋根に固定する固定部材とを備えた屋上緑化システムであって、
前記植栽トレイは、平面形状が略長方形の底面部と、この底面部の外周縁から上方に立ち上がる立縁部とを有し、前記立縁部の外側面に、隣合う植栽トレイ同士を互いに結合する結合手段が設けられたものであり、
前記固定部材は、折板同士を接合する接合手段により前記折板の山部に取り付けられ、その取付部分の上方に位置する水平部分が、前記折板の山部の上に載置された前記植栽トレイの立縁部の上端面に係合することにより、この植栽トレイを前記折板の山部に固定するものであり、
前記植栽トレイの底面部は、下面に上側に凹む溝状の折板載置面部が平行に等間隔で形成され、この折板載置面部のピッチが、前記折板の山部のピッチに対し整数分の１であり、かつ折板載置面部の配列方向の植栽トレイ外形長が、前記折板載置面部のピッチの整数倍であり、
前記植栽トレイの底面部の上面における折板載置面部間の部分は、全体的には下側に凹む形状であって、部分的に底の浅い部分と深い部分とが、この折板載置面部間の部分の長手方向に交互に形成され、これらの底の浅い部分に水抜き孔が穿設され、底の深い部分が貯水部とされ、
前記植栽トレイの立縁部の上端コーナー部に、上側に積み重ねられた植栽トレイの下端コーナー部に係合して、この植栽トレイの水平方向の位置決めをする位置決め突起が設けられたものである
ことを特徴とする屋上緑化システム。
【手続補正２】
【補正対象書類名】明細書
【補正対象項目名】００１０
【補正方法】変更
【補正の内容】
【００１０】
この発明において、前記植栽トレイの底面部は、下面に上側に凹む溝状の折板載置面部が平行に等間隔で形成され、この折板載置面部のピッチが、前記折板の山部のピッチに対し整数分の１であり、かつ折板載置面部の配列方向の植栽トレイ外形長が、前記折板載置面部のピッチの整数倍である。さらに好ましくは、折板載置面部のピッチを、複数種の折板の各山部のピッチに対する公約数とする。
この構成とした場合、植栽トレイ底面部の折板載置面部が折板の山部により下から支持されるように、植栽トレイを敷設する。折板載置面部は上側に凹む溝状となっているため、この折板載置面部の部分に折板の山部またはこの山部に位置する前記接合手段が嵌り込んだ状態となり、折板載置面部の溝方向と交差する方向への植栽トレイの移動が規制され、植栽トレイの位置が安定する。
折板載置面部のピッチが折板の山部のピッチに対し整数分の１であると、折板の各山部または接合手段の位置を植栽トレイの折板載置面部の位置に合致させることができる。また、折板載置面部の配列方向の植栽トレイ外形長が折板載置面部のピッチの整数倍であると、植栽トレイを隙間無く並べた場合でも、折板の各山部または接合手段の位置を植栽トレイの折板載置面部の位置に合致させることができる。
【手続補正３】
【補正対象書類名】明細書
【補正対象項目名】００１１
【補正方法】変更
【補正の内容】
【００１１】
この発明において、前記植栽トレイの底面部の上面における前記折板載置面部間の部分に、下側に凹む貯水部が形成されているものとする。詳しくは、前記植栽トレイの底面部の上面における折板載置面部間の部分は、全体的には下側に凹む形状であって、部分的に底の浅い部分と深い部分とが、この折板載置面部間の部分の長手方向に交互に形成され、これらの底の浅い部分に水抜き孔が穿設され、底の深い部分が貯水部とされる。
植栽トレイの底面部の肉厚がほぼ一定であるとした場合、折板載置面部が上側に凹む溝状であるなら、折板載置面部間の部分は下側に凹む形状となる。この部分を貯水部とすれば、植栽トレイの水持ちが良好となる。